(57)【要約】【課題】幅狭で挿入方向に短い第１のカード媒体（小型カード）と幅広で挿入方向に長い第２のカード媒体（大型カード）とを装着できるカードコネクタでのカード媒体の突出量を同じにする。【解決手段】規制部１０９は、ハウジング１０２の扁平な収納空間１０６での小型カード４０１の第１の移動軌跡４０１Ａを、ハウジング１０２の第１の平坦部１０２ａ側に寄せ、大型カード３０１の第２の移動軌跡３０１Ａを、ハウジング１０２の第２の平坦部１０２ｂ側に寄せる。第１の移動軌跡４０１Ａは、第２の移動軌跡３０１Ａよりも幅方向の内側となる。スライダ２０１や可動ストッパ２５１に形成される小型カード当接部２１０，２５３は、小型カード４０１を大型カード３０１よりも挿入方向の手前側で阻止する。大型カード３０１は、スライダ２０１や可動ストッパ２５１の傾斜部２１１，２５２に接触し、小型カード当接部２１０，２５３を動かす。【選択図】図２
2012043715.tif 000002
【特許請求の範囲】
【請求項１】
第１のカード媒体及び前記第１のカード媒体よりも幅広で長い第２のカード媒体のいずれもがスライド挿入される扁平な収納空間を確保し、スライド挿入されたカード媒体の平面部に対向する第１の対向部及び第２の対向部を形成するハウジングと、
前記収納空間内で第１のカード媒体が通過する第１の移動軌跡を前記第１の対向部側に寄せ、前記収納空間内で前記第２のカード媒体が通過する第２の移動軌跡を前記第１の移動軌跡よりも前記第２の対向部側に寄せ、前記第１の移動軌跡を前記第２の移動軌跡よりも幅方向の内側に位置付ける規制部と、
前記収納空間にスライド挿入される前記第２のカード媒体の先端部が当接する奥側ストッパ部と、
前記奥側ストッパ部よりもカード媒体の挿入方向の手前側に位置し、前記収納空間にスライド挿入される前記第１のカード媒体の先端部が当接する手前側ストッパ部と、
弾性復元力を有し、前記第１の移動軌跡よりも幅方向外側かつ前記第２の移動軌跡よりも幅方向内側の位置で一方の端部からカード媒体の挿入方向の奥側に向かうにつれて前記第２の対向部に向かうよう傾斜して延び、他方の端部で前記手前側ストッパ部に連結する傾斜部と、
を備える、カードコネクタ。
【請求項２】
前記手前側ストッパ部は、前記ハウジングに拘束されている、
請求項１記載のカードコネクタ。
【請求項３】
前記収納空間の一方の側部に寄せて配置され、カード媒体の挿入方向にスライド自在のスライダを更に備え、
前記奥側ストッパ部と前記手前側ストッパ部と前記傾斜部とは、前記スライダに設けられる、
請求項１記載のカードコネクタ。
【請求項４】
前記スライダは、剛性を有する第１の部材と弾性復元力を有する第２の部材とを組み付けて構成され、
前記奥側ストッパ部は、前記第１の部材に設けられ、
前記手前側ストッパ部と前記傾斜部とは、前記第２の部材に設けられる、
請求項３記載のカードコネクタ。
【発明の詳細な説明】
【技術分野】
【０００１】
本発明は、携帯電話機、電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ、プリンタ、情報端末機器等の各種の電子機器に適用され、サイズの異なる複数種のカード媒体を装着できるカードコネクタに関する。
【背景技術】
【０００２】
データを記憶保持するカード媒体を装着するためのカードコネクタを備える各種の電子機器（携帯電話機、電話機、ＰＤＡ（ｐｅｒｓｏｎａｌ  ｄｉｇｉｔａｌ  ａｓｓｉｓｔａｎｃｅ）、携帯型オーディオ、ゲーム機、カメラ、プリンタ、情報端末機器等）が普及している。カード媒体には、例えば、ＣＰＵやメモリ用のＩＣチップを搭載するＩＣカード及びＰＣカード、並びに、ＳＤカード及びＳＩＭカード等があり、種類に応じてサイズが異なっている。そして、種々のカード媒体が普及する中、カードコネクタに対し、低背化や小型化のみならず、複数種のカード媒体を装着できるようにすることが求められてきている。また、電子機器のハウジングに蓋部を設け、ハウジングの内部で蓋部の近傍にカードコネクタを配置し、カード媒体の一部をカードコネクタから突出させ、蓋部でこの突出した部分を押さえることも行われている。
【０００３】
図１５は、カードコネクタの従来例を示す模式図である。従来、図１５に示すような、カード媒体の挿入方向にスライド自在のスライダユニット９０２を備えるカードコネクタ９０１がある。このカードコネクタ９０１には、幅狭で挿入方向に短い第１のカード媒体ＣＣ１と、第１のカード媒体ＣＣ１よりも挿入方向に数ミリメートルほど長い幅広の第２のカード媒体ＣＣ２とのいずれも装着できる。スライダユニット９０２は、第１のカード媒体ＣＣ１の先端部ＣＣａ１と第２のカード媒体ＣＣ２の先端部ＣＣａ２とのいずれもが突き当たる当接部９０３を有する。
【０００４】
別のカードコネクタの従来例は、特許文献１に記載のカードコネクタ２０である。特許文献１の図１〜図９を参照する。このカードコネクタ２０は、カード媒体の挿入方向にスライド自在のスライダ４０を備える。スライダ４０には、可動部材５０が回動自在に取り付けられている。可動部材５０には、長いカード（第１のカードＣ１）の前端部の位置規制をする第１の当接部４２及び第１の規制部４３、並びに、短いカード（第２のカードＣ２）の前端部の位置規制をする第２の当接４４及び第２の規制部４５が、カード媒体の挿入方向に位置を違え、さらに、カード媒体の厚さ方向に違えて設けられる。
【先行技術文献】
【特許文献】
【０００５】
【特許文献１】特許第４４３６４０４号公報（特に、図９、図１６）
【発明の概要】
【発明が解決しようとする課題】
【０００６】
図１５に示すカードコネクタ９０１を電子機器のハウジングに収納し、電子機器のハウジングの蓋部９０４でカードコネクタ９０１から突出したカード媒体の一部を押さえようとすると、蓋部９０４は、カードコネクタ９０１に装着された第１のカード媒体ＣＣ１を保持できない。これは、第１のカード媒体ＣＣ１と第２のカード媒体ＣＣ２とで長さが異なるためである。
【０００７】
一方、特許文献１に記載のカードコネクタ２０は、幅狭で挿入方向に長いカードと、幅広で挿入方向に短いカードとを装着させるものである。このため、第１のカード媒体ＣＣ１（幅狭で挿入方向に短い）と第２のカード媒体ＣＣ２（幅広で挿入方向に長い）とを装着させる図１５に示すようなカードコネクタ９０１には、特許文献１に記載のスライダ４０及び可動部材５０を適用できない。
【０００８】
本発明は、上記の点を鑑みてなされたものであり、幅狭で挿入方向に短い第１のカードと幅広で挿入方向に長い第２のカードとを装着できるカードコネクタでのカード媒体の突出量を同じにすることを目的とする。
【課題を解決するための手段】
【０００９】
本発明のカードコネクタは、第１のカード媒体及び前記第１のカード媒体よりも幅広で長い第２のカード媒体のいずれもがスライド挿入される扁平な収納空間を確保し、スライド挿入されたカード媒体の平面部に対向する第１の対向部及び第２の対向部を形成するハウジングと、前記収納空間内で第１のカード媒体が通過する第１の移動軌跡を前記第１の対向部側に寄せ、前記収納空間内で前記第２のカード媒体が通過する第２の移動軌跡を前記第１の移動軌跡よりも前記第２の対向部側に寄せ、前記第１の移動軌跡を前記第２の移動軌跡よりも幅方向の内側に位置付ける規制部と、前記収納空間にスライド挿入される前記第２のカード媒体の先端部が当接する奥側ストッパ部と、前記奥側ストッパ部よりもカード媒体の挿入方向の手前側に位置し、前記収納空間にスライド挿入される前記第１のカード媒体の先端部が当接する手前側ストッパ部と、弾性復元力を有し、前記第１の移動軌跡よりも幅方向外側かつ前記第２の移動軌跡よりも幅方向内側の位置で一方の端部からカード媒体の挿入方向の奥側に向かうにつれて前記第２の対向部に向かうよう傾斜して延び、他方の端部で前記手前側ストッパ部に連結する傾斜部と、を備える。
【発明の効果】
【００１０】
本発明によれば、幅狭で短い第２のカード媒体の先端部は、手前側ストッパ部に当接する。また、幅広で長い第２のカード媒体については、第２のカード媒体が傾斜部に接触して手前側ストッパ部が第１の対向部側に退避した後に、第２のカード媒体の先端部が奥側ストッパ部に当接する。このように、奥側ストッパ部及び手前側ストッパ部の位置関係によって、幅狭で挿入方向に短い第１のカードと幅広で挿入方向に長い第２のカードとを装着できるカードコネクタでのカード媒体の突出量を同じにすることができる。そして、本発明では、傾斜部の弾性復元力により手前側ストッパ部がカードコネクタの厚さ方向に変位するので、カードコネクタの低背化や小型化も実現できる。
【図面の簡単な説明】
【００１１】
【図１】（ａ）は、カードコネクタの斜視図である。（ｂ）は、カードコネクタの正面図である。
【図２】（ａ）は、カバーが取り外された状態のカードコネクタの斜視図である。（ｂ）は、カバーが取り外された状態のカードコネクタの平面図である。（ｃ）は、カバーが取り外された状態のカードコネクタの正面図である。
【図３】大型カードの斜視図である。
【図４】小型カードの斜視図である。
【図５】（ａ）は、スライダを平面側から見た斜視図である。（ｂ）は、スライダを底面側から見た斜視図である。（ｃ）は、スライダの平面図である。
【図６】可動ストッパの斜視図である。
【図７】大型カードが挿入された状態のカードコネクタの平面図である。
【図８】小型カードが挿入された状態のカードコネクタの平面図である。
【図９】（ａ）は、大型カードが挿入される途中の状態のスライダの斜視図である。（ｂ）は、大型カードが挿入される途中の状態のスライダの右側面図である。
【図１０】（ａ）は、小型カードが挿入される途中の状態のスライダの斜視図である。（ｂ）は、小型カードが挿入される途中の状態のスライダの右側面図である。
【図１１】大型カードが可動ストッパに接触する直前の状態のカードコネクタの斜視図である。
【図１２】（ａ）は、大型カードが挿入されている途中の状態の可動ストッパの右側面図である。（ｂ）は、小型カードが挿入されている途中の状態の可動ストッパの右側面図である。
【図１３】大型カードが後壁部に阻止される直前の状態のカードコネクタの斜視図である。
【図１４】小型カードが小型カード当接部に阻止された状態を示す斜視図である。
【図１５】カードコネクタの従来例を示す模式図である。
【発明を実施するための形態】
【００１２】
実施の一形態を、図１（ａ）、図１（ｂ）ないし図１４に基づいて説明する。図１（ａ）、図１（ｂ）は、それぞれ、カードコネクタ１０１の斜視図、正面図である。図２（ａ）、図２（ｂ）、図２（ｃ）は、それぞれ、カバー１０４が取り外された状態のカードコネクタ１０１の斜視図、平面図、正面図である。カードコネクタ１０１は、幅広で長い大型カード３０１（第２のカード媒体、図３参照）と幅狭で短い小型カード４０１（第１のカード媒体、図４参照）とのいずれも装着できるものである。カードコネクタ１０１は、ハウジング１０２を備える。ハウジング１０２は、樹脂成形されたボディ１０３に金属板をプレス加工して形成されたカバー１０４を被せて構成され、平面視略矩形の平坦な箱型形状をなす。説明の都合上、図１（ａ）にあらわれているハウジング１０２の一方の平坦部を、第２の平坦部１０２ｂと呼ぶ。また、第２の平坦部１０２ｂとは反対側に位置するハウジング１０２の他方の平坦部を、第１の平坦部１０２ａと呼ぶ。そして、第２の平坦部１０２ｂ側を上方とし、第１の平坦部１０２ａ側を下方とする。なお、第１の平坦部１０２ａは、特許請求の範囲でいうところの第１の対向部に相当する。また、第２の平坦部１０２ｂは、特許請求の範囲でいうところの第２の対向部に相当する。
【００１３】
ハウジング１０２の正面側の側面には、挿入口１０５が開口する。ハウジング１０２の内部には、挿入口１０５に連通する収納空間１０６が形成される。この収納空間１０６は、大型カード３０１や小型カード４０１がスライド挿入される扁平なものである。第１の平坦部１０２ａ及び第２の平坦部１０２ｂは、収納空間１０６の下限と上限とをそれぞれ規定し、収納空間１０６にスライド挿入されたカード媒体（大型カード３０１、小型カード４０１）の平面部に対向する。
【００１４】
ボディ１０３には、カード支持段部１０７が設けられる。カード支持段部１０７は、挿入口１０５の両側部分の下側に位置し、カードコネクタ１０１の正面側から背面側に向けて延びる。それぞれのカード支持段部１０７の上方には、ガイド部１０８が形成される。ガイド部１０８は、コ字形状で、挿入口１０５の内側に開く。
【００１５】
大型カード３０１は、その両端部をガイド部１０８に入り込ませて、挿入口１０５から、上方側（第２の平坦部１０２ｂ側）に寄せて、第１の平坦部１０２ａや第２の平坦部１０２ｂに平行に収納空間１０６に押し込まれる。また、小型カード４０１は、挿入口１０５から、二つのカード支持段部１０７の間に位置付けられて、大型カード３０１の移動軌跡（第２の移動軌跡３０１Ａ）よりも下方側（第１の平坦部１０２ａ側）に寄せて、第１の平坦部１０２ａや第２の平坦部１０２ｂに平行に収納空間１０６に押し込まれる。これにより、小型カード４０１の移動軌跡（第１の移動軌跡４０１Ａ）は、大型カード３０１の移動軌跡（第２の移動軌跡３０１Ａ）よりも第１の平坦部１０２ａ側に位置することになる。そして、第１の移動軌跡４０１Ａは、第２の移動軌跡３０１Ａに対してカードコネクタ１０１の幅方向（カードコネクタ１０１の右側面から左側面に向かう方向）の内側に位置することになる。また、図２（ｃ）に示すように、第１の移動軌跡４０１Ａと第２の移動軌跡３０１Ａとは、カードコネクタ１０１の厚さ方向に重複している。
【００１６】
カードコネクタ１０１は、第１のコンタクト１１１と、第２のコンタクト１１２とを備える。第１のコンタクト１１１は、収納空間１０６に挿入された大型カード３０１のパッド部３０２（図３参照）に接触する。第２のコンタクト１１２は、収納空間１０６に挿入された小型カード４０１のパッド部４０２（図４参照）に接触する。第１のコンタクト１１１及び第２のコンタクト１１２は、いずれも、挿入口１０５とは反対側でボディ１０３の上面から立設する後壁部１０３ａに圧入され、カードコネクタ１０１の幅方向に複数並んでいる。第１のコンタクト１１１は、後壁部１０３ａから収納空間１０６側に突出し、第２の平坦部１０２ｂ（図１（ａ）及び図１（ｂ）参照）の近傍に位置する。第２のコンタクト１１２は、後壁部１０３ａから収納空間１０６側に突出し、第１の平坦部１０２ａ（図１（ｂ）参照）の近傍で第２の平坦部１０２ｂよりも下方に位置する。
【００１７】
図３は、大型カード３０１の斜視図である。大型カード３０１は、小型カード４０１（図４参照）よりも長く幅広で、長方形の一の角部に切欠部３０３を形成した五角形の板状をなす。切欠部３０３は、大型カード３０１の長辺及び短辺のいずれに対しても傾斜する。大型カード３０１において切欠部３０３から延びる短辺を、大型カード３０１の先端側と呼ぶ。大型カード３０１の一方の面の先端側には、パッド部３０２が列状に並んでいる。パッド部３０２は、第１のコンタクト１１１（図２（ａ）及び図２（ｂ）参照）に接触し、カードコネクタ１０１を搭載している電子機器（図示せず）との電気信号の通信経路を構成する。大型カード３０１において切欠部３０３から延びる長辺には、大型カード係合部２０７（図５（ａ）及び図５（ｃ）参照）が入り込む係合溝３０４が形成される。このような大型カード３０１の一例は、ＳＤメモリーカード（商品名）である。
【００１８】
図４は、小型カード４０１の斜視図である。小型カード４０１は、大型カード３０１と略同じ厚さで、大型カード３０１よりも短く幅狭な長方形の一の角部に切欠部４０３を形成した概ね五角形の板状をなす。この切欠部４０３は、厳密には、平面視において丸みを帯びて外側に凸となっている。小型カード４０１において切欠部４０３から延びる短辺を、小型カード４０１の先端部と呼ぶ。小型カード４０１の一方の面４０１ａの先端側には、十個のパッド部４０２が、切欠部４０３とは反対側に位置する長辺側に寄せて列状に並んでいる。各パッド部４０２は、いずれも、小型カード４０１の平面部から凹んだ箇所に設けられる。各パッド部４０２の間には、細仕切部４０４が、小型カード４０１の挿入方向に櫛歯状に延びている。パッド部４０２は、第２のコンタクト１１２（図２（ａ）及び図２（ｂ）参照）に接触し、カードコネクタ１０１を搭載している電子機器（図示せず）との電気信号の通信経路を構成する。このような小型カード４０１の一例は、メモリースティックＤｕｏカード（商品名）である。
【００１９】
十個のパッド部４０２からなる群は、第１の太仕切部４０５ａ及び第２の太仕切部４０５ｂに挟まれる。第１の太仕切部４０５ａ及び第２の太仕切部４０５ｂは、いずれも、細仕切部４０４よりも太く、小型カード４０１の挿入方向に延びている。第１の太仕切部４０５ａは、切欠部４０３とは反対側に位置する長辺に沿う。第２の太仕切部４０５ｂは、切欠部４０３から延びる長辺から離れた箇所に位置する。第２の太仕切部４０５ｂと切欠部４０３から延びる長辺との間には、溝部４０６が設けられる。溝部４０６は、小型カード４０１の先端から小型カード４０１の挿入方向に延びている。切欠部４０３と溝部４０６とにより、切欠部４０３から延びる長辺の先端は、細仕切部４０４の先端、第１の太仕切部４０５ａの先端及び第２の太仕切部４０５ｂの先端のいずれよりも挿入方向の手前側に位置する。これにより、小型カード４０１における切欠部４０３から延びる長辺の先端に、挿入方向の手前側に位置する段部４０７が形成される。また、小型カード４０１において切欠部４０３から延びる長辺には、小型カード係合部２０８（図５（ａ）〜図５（ｃ）参照）が入り込む係合溝４０８が形成される。
【００２０】
段部４０７の先端部分の形状を、小型カード４０１の厚さ方向について詳細に述べる。段部４０７は、溝部４０６を形成する溝部底面４０６ａから小型カード４０１の一方の面４０１ａに至る方向に略垂直に立ち上がっている。そして、段部４０７の先端部分で溝部底面４０６ａから面４０１ａまでの厚さ方向の距離の略半分は、小型カード４０１の面４０１ａと直交する面で構成される。段部４０７の先端部分の残りの略半分は、小型カード４０１の面４０１ａに向けて面取りされている。
【００２１】
図２（ａ）及び図２（ｂ）を再び参照する。カードコネクタ１０１は、イジェクト機構１２１を備える。イジェクト機構１２１は、収納空間１０６における挿入口１０５から見て左側の側部で後壁部１０３ａの近傍に位置する。イジェクト機構１２１は、大型カード３０１や小型カード４０１の先端部における切欠部３０３、４０３側の角部を受け止め、カード媒体（大型カード３０１、小型カード４０１）を保持したり、この角部を挿入口１０５側に押し戻してカード媒体（大型カード３０１、小型カード４０１）を排出したりする。イジェクト機構１２１は、スライダ２０１と、カムレバー１２２と、スプリング１２３とを備える。スライダ２０１の構造の詳細は、図５（ａ）〜図５（ｃ）に基づいて後述する。スライダ２０１は、挿入口１０５から後壁部１０３ａに向かう方向（カード媒体の挿入方向）にスライド往復自在である。スライダ２０１からは、ガイド突起２０９（図５（ｂ）参照）が突出しており、このガイド突起２０９はボディ１０３に設けられたガイド溝１０３ｂ（図１４も参照）に入り込んでいる。ガイド溝１０３ｂの後壁部１０３ａ側の幅はガイド突起２０９の幅と略一致し、挿入口１０５に向かうにつれてガイド溝１０３ｂの幅は広くなっている。これにより、スライダ２０１は、後壁部１０３ａ側に動くと幅方向の動きを規制され、挿入口１０５側に動くとカードコネクタ１０１の幅方向にも動くことができるようになる。
【００２２】
スライダ２０１の上面には、ハート形カム２０２と、カム溝２０３とが形成される。カム溝２０３は、ハート形カム２０２の周りに周状に設けられる。カムレバー１２２の一方の端部は、後壁部１０３ａに拘束される。カムレバー１２２の他方の端部は、カム溝２０３に入り込んでカム溝２０３の底面に圧力をもって接する。カム溝２０３の底面は段状になっている。これにより、スライダ２０１がカード媒体の挿入方向にスライド往復すると、カムレバー１２２の他方の端部は所定の周回方向にのみ動く。スプリング１２３は、カード媒体の挿入方向に延び、後壁部１０３ａとスライダ２０１とを連結する。
【００２３】
カードコネクタ１０１は、規制部１０９を備える。規制部１０９は、第１の移動軌跡４０１Ａ（小型カード４０１の移動軌跡）を第１の平坦部１０２ａ側に寄せ、第２の移動軌跡３０１Ａ（大型カード３０１の移動軌跡）を第１の移動軌跡４０１Ａよりも第２の平坦部１０２ｂ側に寄せ、かつ、第１の移動軌跡４０１Ａを第２の移動軌跡３０１Ａよりもカードコネクタ１０１の幅方向の内側に位置付けるものである。規制部１０９は、カード支持段部１０７（前述）と、ガイド部１０８（前述）と、シャッタ１３１と、トーションバネ１３１ｄ（図７及び図８参照）と、連動板１３２とにより構成される。カード支持段部１０７及びガイド部１０８によって第１の移動軌跡４０１Ａが第２の移動軌跡３０１Ａよりもカードコネクタ１０１の幅方向の内側に位置付けられることは、既に述べた。以下、規制部１０９が第１の移動軌跡４０１Ａを第１の平坦部１０２ａ側に寄せ、第２の移動軌跡３０１Ａを第２の平坦部１０２ｂ側に寄せる点について述べる。
【００２４】
シャッタ１３１は、挿入された小型カード４０１の浮き上がりを抑え、小型カード４０１を第１のコンタクト１１１に接触させないようにする。シャッタ１３１は、長尺の板状部１３１ａを有する。板状部１３１ａは、収納空間１０６内でカードコネクタ１０１の幅方向に延びる。板状部１３１ａの両端部からは、シャッタ脚部１３１ｂが下方に延びる。シャッタ１３１は、板状部１３１ａとシャッタ脚部１３１ｂとによって、全体として門形状をなし、小型カード４０１が通過するコ字型の通過空間１３１ｃを形成する。シャッタ脚部１３１ｂのそれぞれからは、シャッタ軸部１３１ｅ（図７及び図８参照）が延びる。シャッタ軸部１３１ｅは、板状部１３１ａに平行に延びる。シャッタ１３１は、ボディ１０３の左内側壁１０３ｃ及び右内側壁１０３ｄのそれぞれにシャッタ軸部１３１ｅを保持され、シャッタ軸部１３１ｅの軸回り方向に回転自在である。
【００２５】
トーションバネ１３１ｄは、シャッタ軸部１３１ｅの外周に巻きつくように配置される。トーションバネ１３１ｄは、シャッタ１３１を図２（ａ）に示す矢印Ｒの方向に押し、シャッタ１３１を第１の平坦部１０２ａや第２の平坦部１０２ｂ（いずれも図１（ｂ）参照）に直交する方向に向ける。これにより、シャッタ１３１の板状部１３１ａは、第２の移動軌跡３０１Ａ（大型カード３０１の移動軌跡）中に配置される。
【００２６】
連動板１３２は、シャッタ１３１よりも後壁部１０３ａ側に延び、シャッタ１３１の板状部１３１ａの上方部分に回転自在に連結される板状の部材である。連動板１３２からは、棒状の押え部１３２ａが、後壁部１０３ａに向けて突出する。トーションバネ１３１ｄがシャッタ１３１を矢印Ｒの方向に回転させると、連動板１３２は上方側（第２の平坦部１０２ｂ側）に持ち上げられる。連動板１３２が上方側に持ち上げられると、押え部１３２ａは、通過空間１３１ｃを通過した小型カード４０１の上面に対面し、小型カード４０１の上方側への移動を防ぐ。大型カード３０１に押されてシャッタ１３１が矢印Ｒとは逆の方向に回転すると、連動板１３２が下方側（第１の平坦部１０２ａ側）に動く。連動板１３２が下方側に動くと、押え部１３２ａは、大型カード３０１の下面に対面し、大型カード３０１の下方側への移動を防ぐ。押え部１３２ａは、小型カード４０１や大型カード３０１の平面部を押さえつけて、小型カード４０１や大型カード３０１に生じた歪みを矯正する。
【００２７】
カードコネクタ１０１は、さらに、大型カード挟持部１３７と、押上部１３８とを備える。大型カード挟持部１３７は、ガイド部１０８と同じ高さ位置で収納空間１０６に向けて突出するバネ体である。大型カード挟持部１３７は、挿入口１０５から挿入された大型カード３０１を幅方向に挟み込み、大型カード３０１の幅方向のガタつきを防止する。押上部１３８は、ボディ１０３の底面における二つのカード支持段部１０７の間の部分を上方に切り起こして形成される。押上部１３８は、挿入口１０５から挿入された小型カード４０１を上方に押し上げる。
【００２８】
本実施の形態のカードコネクタ１０１では、大型カード３０１は、その両端部をガイド部１０８に入り込ませて、挿入口１０５から、上方側（第２の平坦部１０２ｂ側）に寄せて、第１の平坦部１０２ａや第２の平坦部１０２ｂに平行に挿入され、シャッタ１３１を挿入方向の奥側に押す。シャッタ１３１の板状部１３１ａは、大型カード３０１に押されて矢印Ｒとは逆の方向に回転する。そして、大型カード３０１は、ガイド部１０８や連動板１３２によって上方側（第２の平坦部１０２ｂ側）に寄った状態で収納空間１０６に収納される。つまり、第２の移動軌跡３０１Ａ（大型カード３０１の移動軌跡）は、規制部１０９によって第２の平坦部１０２ｂ側に寄る。大型カード３０１が収納空間１０６から排出されると、トーションバネ１３１ｄは、押されたシャッタ１３１を元の位置に戻す。
【００２９】
また、本実施の形態のカードコネクタ１０１では、小型カード４０１は、挿入口１０５から、二つのカード支持段部１０７の間に位置付けられて、下方側（第１の平坦部１０２ａ側）に寄せて、第１の平坦部１０２ａや第２の平坦部１０２ｂに平行に挿入され、通過空間１３１ｃを通過する。小型カード４０１は、シャッタ１３１の板状部１３１ａや連動板１３２によって浮き上がらず、下方側（第１の平坦部１０２ａ側）に寄った状態で収納空間１０６に収納される。つまり、第１の移動軌跡４０１Ａ（小型カード４０１の移動軌跡）は、規制部１０９によって第１の平坦部１０２ａ側に寄る。
【００３０】
図５（ａ）は、スライダ２０１を平面側から見た斜視図である。図５（ｂ）は、スライダ２０１を底面側から見た斜視図である。図５（ｃ）は、スライダ２０１の平面図である。図２（ａ）及び図２（ｂ）、並びに、図５（ａ）〜図５（ｃ）を参照する。スライダ２０１は、樹脂成形されて剛性を有する第１の部材としてのスライダ基部２０４に、金属板をプレス加工して形成されて弾性復元力を有する第２の部材としてのセミロック部材２０５を組み付けてなる。
【００３１】
スライダ基部２０４は、カード媒体の挿入方向に延びる基礎部分２０１Ａと、この基礎部分２０１Ａの後壁部１０３ａ側の端部から収納空間１０６の内側方向に突出する突出部２０１ＡＡとを有して、全体として略Ｌ字形状をなす。基礎部分２０１Ａは、矩形状の板部２０１Ｂと、この板部２０１Ｂの上面で挿入口１０５から見て左側の領域から立ち上がる台部２０１Ｃとからなる。台部２０１Ｃの上面で後壁部１０３ａ側の端部側には、ハート形カム２０２及びカム溝２０３（いずれも前述）が設けられる。また、板部２０１Ｂの上面で挿入口１０５から見た右側で後壁部１０３ａ側の端部寄りの領域からは、押え部２０１Ｄが上方に延びる。押え部２０１Ｄは、組み付けられたセミロック部材２０５が上方に外れることを防ぐ。押え部２０１Ｄからは、突出部２０１ＡＡが収納空間１０６の内側方向に延びる。
【００３２】
スライダ基部２０４は、大型カード当接部２０６と、大型カード係合部２０７と、小型カード係合部２０８と、ガイド突起２０９とを有する。突出部２０１ＡＡにおける挿入口１０５側の側面は、大型カード当接部２０６として機能する。大型カード当接部２０６には、スライド挿入される大型カード３０１（図３参照）の先端部が当接する。つまり、大型カード当接部２０６は、収納空間１０６にスライド挿入される大型カード３０１の先端部が当接する奥側ストッパ部Ｔ１として機能する。大型カード当接部２０６の一部には、傾斜領域２０６ａが形成される。傾斜領域２０６ａには、大型カード３０１の切欠部３０３（図３参照）が接触する。傾斜領域２０６ａよりも挿入口１０５側には、板部２０１Ｂの上面と面一な大型カード支持部２０６ｂが延出する。
【００３３】
大型カード係合部２０７は、台部２０１Ｃの挿入口１０５側の端部で収納空間１０６の内側方向に延びる突起である。大型カード係合部２０７は、大型カード３０１の係合溝３０４に入り込む。
【００３４】
小型カード係合部２０８は、板部２０１Ｂの挿入口１０５側の端部で収納空間１０６の内側方向に延びる突起である。小型カード係合部２０８は、小型カード４０１の係合溝４０８に入り込む。
【００３５】
ガイド突起２０９は、板部２０１Ｂの下面で小型カード係合部２０８の近傍の箇所から下方に突出する。ガイド突起２０９は、ガイド溝１０３ｂ（図２（ｂ）及び図１４参照）に入り込んでいる。
【００３６】
セミロック部材２０５は、小型カード当接部２１０と、傾斜部２１１と、Ｕ字係合部２１２と、内側壁接触部２１３と、抜止部２１４と、摺動部２１５を有する。小型カード当接部２１０は、大型カード当接部２０６よりもカード媒体の挿入方向の手前側に位置し、板部２０１Ｂの上方からこの板部２０１Ｂよりも収納空間１０６の内側方向に突出し、そこから下方側（第１の平坦部１０２ａ側）に落ち込んでいる。小型カード当接部２１０における挿入口１０５側の部分は、上方側（第２の平坦部１０２ｂ側）に折り曲げられている。ここで、この折り曲げられた部分は、傾斜部２１１の傾斜により板部２０１Ｂの上面よりも上方に位置しているものの、傾斜部２１１の第２の端部２１１ｂ（後述）よりも上方に突出していない。そして、この折り曲げられた部分には、スライド挿入される小型カード４０１（図４参照）の先端部、とりわけ、小型カード４０１に形成される段部４０７（図４参照）が当接する。つまり、小型カード当接部２１０は、収納空間１０６にスライド挿入される小型カード４０１の先端部が当接する手前側ストッパ部Ｔ２として機能する。
【００３７】
傾斜部２１１は、カード媒体の挿入方向に延びる長尺の部分である。傾斜部２１１は、板部２０１Ｂの上方に位置して、板部２０１Ｂの上面に対し傾斜している。傾斜部２１１における挿入口１０５側の端部（第１の端部２１１ａ）は、爪部２１２ａ（後述）が台部２０１Ｃに引っ掛かっていて、スライダ基部２０４に対して動かない。傾斜部２１１は、第１の端部２１１ａから後壁部１０３ａに向かうにつれて上方側（第２の平坦部１０２ｂ側）に向かうよう傾斜する。傾斜部２１１における後壁部１０３ａ側の端部（第２の端部２１１ｂ）は、前述の小型カード当接部２１０に連結している。ここで重要なのは、図２（ｂ）に示されるように、傾斜部２１１は第１の移動軌跡４０１Ａ（小型カード４０１の移動軌跡）よりも幅方向の外側に位置し、かつ、第２の移動軌跡３０１Ａ（大型カード３０１の移動軌跡）よりも幅方向の内側に配置されるという点である。これにより、傾斜部２１１には、大型カード３０１のみが接触しうる。
【００３８】
Ｕ字係合部２１２は、傾斜部２１１の第１の端部２１１ａよりもボディ１０３の左内側壁１０３ｃ側に位置し、この第１の端部２１１ａに連なっている。Ｕ字係合部２１２は、直交するように折り曲げられ、平面視において挿入口１０５側に開くＵ字形状をなす。Ｕ字係合部２１２は、台部２０１Ｃの挿入口１０５側の上面に形成されたＵ字溝２０１ＣＣに嵌り込む。Ｕ字溝２０１ＣＣの内側面には、爪受部（図示せず）が形成されている。爪受部には、Ｕ字係合部２１２から切り起こされた爪部２１２ａが引っかかり、セミロック部材２０５の上方への抜けが防止される。
【００３９】
内側壁接触部２１３は、Ｕ字係合部２１２におけるボディ１０３の左内側壁１０３ｃ側の端部を折り曲げて形成される。内側壁接触部２１３は、Ｕ字係合部２１２のＵ字形状により、左内側壁１０３ｃに弾性接触する。ところで、台部２０１Ｃにおける左内側壁１０３ｃ側の側面には、この左内側壁１０３ｃに沿った平行側面２０１Ｃａと、スライダ２０１よりも挿入口１０５側で左内側壁１０３ｃから離れるよう傾斜する傾斜側面２０１Ｃｂとが形成される。また、前述の通り、ガイド溝１０３ｂの形状によって、スライダ２０１は挿入口１０５側に動くとカードコネクタ１０１の幅方向にも動くことができるようになっている。これにより、スライダ２０１は、挿入口１０５側に動くと、平行側面２０１Ｃａと傾斜側面２０１Ｃｂの境界線２０１Ｃｃを支点として旋回できる。そこで、内側壁接触部２１３は、大型カード３０１や小型カード４０１が大型カード係合部２０７や小型カード係合部２０８を左内側壁１０３ｃ側に押してスライダ２０１を旋回させたとき、このスライダ２０１を収納空間１０６の内側方向に押し戻す。
【００４０】
抜止部２１４は、傾斜部２１１の第２の端部２１１ｂから後壁部１０３ａ側に突出し、上方を向いている。抜止部２１４は、押え部２０１Ｄに引っかかる。これにより、セミロック部材２０５の上方への抜けが防止される。
【００４１】
摺動部２１５は、傾斜部２１１の第２の端部２１１ｂから左内側壁１０３ｃ側に突出し、上方を向いている。摺動部２１５は、台部２０１Ｃにおける収納空間１０６側の側面に接し、傾斜部２１１の第２の端部２１１ｂの上下変位に伴って摺動する。
【００４２】
図６は、可動ストッパ２５１の斜視図である。図２（ａ）、図２（ｂ）及び図６を参照する。カードコネクタ１０１は、可動ストッパ２５１を備える。可動ストッパ２５１は、収納空間１０６における挿入口１０５から見て右側の側部で、後壁部１０３ａの近傍に位置し、ボディ１０３に嵌めこまれる。可動ストッパ２５１は、小型カード４０１の先端部で切欠部４０３とは反対側の角部を受け止めて小型カード４０１の位置決めをし、収納空間１０６内での小型カード４０１のガタつきを抑える。
【００４３】
可動ストッパ２５１は、金属板をプレス加工して形成され、弾性復元力を有する。可動ストッパ２５１は、平面視において略Ｔ字形状をなし、ボディ１０３の右内側壁１０３ｄの端部が上方かつ後壁部１０３ａ側に延びている。可動ストッパ２５１は、傾斜部２５２と、小型カード当接部２５３と、摺動部２５４と、爪部２５５とを有する。
【００４４】
傾斜部２５２は、カード媒体の挿入方向に延びる長尺をなす部分である。傾斜部２５２は、ボディ１０３の底面１０３ｅに対して傾斜する。傾斜部２５２における挿入口１０５側の端部（第１の端部２５２ａ）は、爪部２５５（後述）がボディ１０３に引っ掛かることにより、ボディ１０３の底面１０３ｅに対し圧力を持って接する。傾斜部２５２は、第１の端部２５２ａから後壁部１０３ａに向かうにつれて上方側（第２の平坦部１０２ｂ側）に向かうよう傾斜する。傾斜部２１１における後壁部１０３ａ側の端部（第２の端部２５２ｂ）は、小型カード当接部２５３（後述）に連結している。
【００４５】
傾斜部２５２の第２の端部２５２ｂから収納空間１０６の内側方向へは、舌状部２５６が延びている。舌状部２５６の先端部は、下方側（第１の平坦部１０２ａ側）に折り曲げられている。舌状部２５６の先端部は、ボディ１０３の底面１０３ｅに接しておらず、下方に変位することができる。
【００４６】
小型カード当接部２５３は、舌状部２５６における挿入口１０５側の端面である。小型カード当接部２５３は、後壁部１０３ａよりもカード媒体の挿入方向の手前側に位置し、ボディ１０３の底面１０３ｅから上方に突出している。小型カード当接部２５３には、スライド挿入される小型カード４０１（図４参照）の先端部で、切欠部４０３とは反対側の角部が当接する。つまり、小型カード当接部２５３は、収納空間１０６にスライド挿入される小型カード４０１の先端部が当接する手前側ストッパ部Ｔ２として機能する。
【００４７】
第２の端部２５２ｂから右内側壁１０３ｄ側へは、支持部２５７が延びる。支持部２５７は、右内側壁１０３ｄに向かうにつれて下方側（第１の平坦部１０２ａ側）に向かうよう傾斜し、その途中に、上方に曲がった曲り部２５７ａが形成される。曲り部２５７ａは、爪部２５５（後述）がボディ１０３に引っ掛かることで、ボディ１０３の底面１０３ｅに対して圧力を持って接する。
【００４８】
摺動部２５４は、舌状部２５６において後壁部１０３ａ側の縁部から上方に延びる。摺動部２５４は、後壁部１０３ａにおける挿入口１０５側の側面に接し、傾斜部２５２の第２の端部２５２ｂの上下変位に伴って摺動する。
【００４９】
曲り部２５７ａには、垂直平板部２５５ａが連なる。垂直平板部２５５ａは、曲り部２５７ａから上方かつ後壁部１０３ａ側に位置する。爪部２５５は、この垂直平板部２５５ａの一部を後壁部１０３ａに切り起こして形成される。爪部２５５は、後壁部１０３ａに形成される爪受部（図示せず）に引っかかる。これにより、可動ストッパ２５１の上方への抜けが防止される。
【００５０】
ここで重要なのは、図２（ｂ）に示されるように、可動ストッパ２５１の傾斜部２５２も、スライダ２０１のセミロック部材２０５の傾斜部２１１と同様に、第１の移動軌跡４０１Ａ（小型カード４０１の移動軌跡）よりも幅方向の外側に位置し、かつ、第２の移動軌跡３０１Ａ（大型カード３０１の移動軌跡）よりも幅方向の内側に配置されるという点である。このため、傾斜部２５２には、大型カード３０１のみが接触しうる。
【００５１】
図７は、大型カード３０１が挿入された状態のカードコネクタ１０１の平面図である。なお、説明のため、図７では、カバー１０４は省略されている。大型カード３０１は、パッド部３０２を有する面を上方に向け、大型カード３０１の両縁部３０１ａをガイド部１０８内に位置付けて挿入口１０５からスライド挿入される。大型カード３０１が挿入口１０５から挿入されると、規制部１０９によって上方側（第２の平坦部１０２ｂ側）に寄せられた状態で後壁部１０３ａに向けてスライド移動する。その後、大型カード３０１は、シャッタ１３１の板状部１３１ａを押し、スライダ２０１に接触する。
【００５２】
大型カード３０１は、まず、スライダ２０１の大型カード係合部２０７に接触する。これにより、スライダ２０１は境界線２０１Ｃｃを中心に回転し、スライダ２０１の挿入口１０５側の端部が左内側壁１０３ｃ側に動く。その後、大型カード３０１がさらに挿入方向の奥側に進み係合溝３０４が大型カード係合部２０７の位置に到達すると、スライダ２０１のＵ字係合部２１２での弾性復元力によってスライダ２０１の挿入口１０５側の端部が収納空間１０６の内側方向に動き、大型カード係合部２０７が係合溝３０４に入り込む。これにより、大型カード３０１が挿入口１０５から抜けにくくなる。
【００５３】
そして、大型カード３０１が収納空間１０６内で挿入方向の奥側に進むと、大型カード３０１の先端部がスライダ２０１の大型カード当接部２０６に当接する。特に、大型カード３０１の切欠部３０３は、傾斜領域２０６ａに当接する。スライダ２０１は、大型カード３０１に押されて挿入方向の奥側に進む。
【００５４】
その後、大型カード３０１への押し込みが解除されると、スプリング１２３は、スライダ２０１を挿入口１０５側に押し、カムレバー１２２がハート形カム２０２に引っ掛かる。これにより、スライダ２０１は、大型カード３０１を挿入口１０５から所定長さだけはみ出させる位置で停止する。また、大型カード３０１の下面側に位置する連動板１３２によって、大型カード３０１は下方に沈み込まない。さらに、大型カード３０１の両側面は、スライダ２０１と大型カード挟持部１３７に挟まれ、大型カード３０１のガタつきが減少する。
【００５５】
この状態で、再び大型カード３０１が後壁部１０３ａ側に押し込まれると、カムレバー１２２とハート形カム２０２とが離反する。そして、大型カード３０１への押し込みが解除されると、スプリング１２３は、スライダ２０１を挿入口１０５側に押す。これにより、スライダ２０１は、大型カード３０１を挿入口１０５から排出させる。
【００５６】
図８は、小型カード４０１が挿入された状態のカードコネクタ１０１の平面図である。なお、説明のため、図８では、カバー１０４は省略されている。小型カード４０１は、パッド部４０２（図４参照）を有する面を下方に向け、二つのカード支持段部１０７の間に位置付けられて挿入口１０５からスライド挿入される。小型カード４０１が挿入口１０５から挿入されると、規制部１０９によって下方側（第１の平坦部１０２ａ側）に寄せられた状態で後壁部１０３ａに向けてスライド移動する。その後、小型カード４０１は、シャッタ１３１により形成される通過空間１３１ｃを通過し、スライダ２０１に接触する。
【００５７】
小型カード４０１は、まず、スライダ２０１の小型カード係合部２０８に接触する。これにより、スライダ２０１は、境界線２０１Ｃｃを中心に回転し、スライダ２０１の挿入口１０５側の端部が左内側壁１０３ｃ側に動く。その後、小型カード４０１がさらに挿入方向の奥側に進み係合溝４０８が小型カード係合部２０８の位置に到達すると、スライダ２０１のＵ字係合部２１２での弾性復元力によってスライダ２０１の挿入口１０５側の端部が収納空間１０６の内側方向に動き、小型カード係合部２０８が係合溝４０８に入り込む。これにより、小型カード４０１は挿入口１０５から抜けにくくなる。
【００５８】
スライダ２０１は、小型カード４０１に押されて後壁部１０３ａ側に動く。小型カード４０１の押し込みを解除した後及び小型カード４０１を再度押し込む際の、カムレバー１２２、スプリング１２３及びスライダ２０１の動きは、大型カード３０１の場合と同じであり、説明を省略する。小型カード４０１は、その平面部を押上部１３８（図２（ａ）及び図２（ｂ）参照）とシャッタ１３１に挟まれて、ガタつきが抑えられる。
【００５９】
以下、大型カード３０１や小型カード４０１がカードコネクタ１０１に挿入されるときのスライダ２０１の動きを説明する。図９（ａ）、図９（ｂ）は、それぞれ、大型カード３０１が挿入される途中の状態のスライダ２０１の斜視図、右側面図である。なお、説明のために、図９（ａ）及び図９（ｂ）において、大型カード３０１の形状を一点鎖線で示している。図７、図９（ａ）及び図９（ｂ）を参照する。挿入口１０５から挿入された大型カード３０１は、規制部１０９によって、スライダ２０１の台部２０１Ｃよりも収納空間１０６の内側方向かつ板部２０１Ｂの上方を通過する。ここで、傾斜部２１１は、板部２０１Ｂの上面で、挿入方向の奥側に向かうにつれて上方側（第２の平坦部１０２ｂ側）に向かうよう傾斜している。大型カード３０１の先端部は、この傾斜部２１１に接触し、傾斜部２１１における挿入方向の奥側の端部（第２の端部２１１ｂ）を下方側（第１の平坦部１０２ａ側）に動かす。これにより、小型カード当接部２１０も下方側に動く。その結果、小型カード当接部２１０は大型カード３０１に干渉しなくなり、大型カード３０１はスムーズに挿入方向の奥側に進んで、大型カード当接部２０６に当接する。
【００６０】
図１０（ａ）、図１０（ｂ）は、それぞれ、小型カード４０１が挿入される途中の状態のスライダ２０１の斜視図、右側面図である。なお、図１０（ａ）及び図１０（ｂ）において、小型カード４０１の形状を一点鎖線で示している。図８、図１０（ａ）及び図１０（ｂ）を参照する。挿入口１０５から挿入された小型カード４０１は、規制部１０９によって、スライダ２０１の板部２０１Ｂよりも収納空間１０６の内側方向で、収納空間１０６内を挿入方向の奥側に進む。このとき、小型カード４０１の下面は、板部２０１Ｂの上面よりも下方側（第１の平坦部１０２ａ側）に位置する。また、小型カード４０１の上面は、板部２０１Ｂの上面よりも上方側（第２の平坦部１０２ｂ側）に位置する。
【００６１】
以下、大型カード３０１や小型カード４０１がカードコネクタ１０１に挿入されるときの可動ストッパ２５１の動きを説明する。図１１は、大型カード３０１が可動ストッパ２５１に接触する直前の状態のカードコネクタ１０１の斜視図である。図１２（ａ）は、大型カード３０１が挿入されている途中の状態の可動ストッパ２５１の右側面図である。図１２（ｂ）は、小型カード４０１が挿入されている途中の状態の可動ストッパ２５１の右側面図である。挿入口１０５（図２（ａ）等参照）から挿入された大型カード３０１は、規制部１０９（図２（ａ）等参照）に進行位置を規制された状態で収納空間１０６を挿入方向の奥側に進む。このとき、大型カード３０１の先端部における切欠部３０３（図３等参照）とは反対側の角部の下面は、可動ストッパ２５１の傾斜部２５２に接触し、可動ストッパ２５１を下方側（第１の平坦部１０２ａ側）に押し下げる。これにより、可動ストッパ２５１では、傾斜部２５２の第１の端部２５２ａがボディ１０３の底面１０３ｅに支持されたままで、傾斜部２５２の第２の端部２５２ｂが下方側に下がり、小型カード当接部２５３も下方側に動く。その結果、小型カード当接部２５３は大型カード３０１に干渉しなくなり、大型カード３０１はスムーズに挿入方向の奥側に進んで、後壁部１０３ａにおける挿入口１０５側の側面に当接する。つまり、後壁部１０３ａの挿入口１０５側の側面は、収納空間１０６にスライド挿入される小型カード４０１の先端部が当接する奥側ストッパ部Ｔ１として機能する。
【００６２】
これに対し、挿入口１０５から挿入された小型カード４０１は、規制部１０９によって進行位置を規制された状態で収納空間１０６を挿入方向の奥側に進む。このとき、小型カード４０１は可動ストッパ２５１の傾斜部２５２に接触せず、この傾斜部２５２の収納空間１０６の内側方向の領域を進んで、小型カード当接部２５３に阻止される。
【００６３】
図１３は、大型カード３０１が後壁部１０３ａに阻止される直前の状態のカードコネクタ１０１の斜視図である。図１４は、小型カード４０１が小型カード当接部２１０，２５３に阻止された状態を示す斜視図である。図１３、図１４及び図７を参照する。なお、図７では、大型カード３０１が後壁部１０３ａに阻止された後の状態が示されている。上記のように、大型カード３０１は、挿入口１０５から挿入されると、スライダ２０１の傾斜部２１１に接触して小型カード当接部２１０を下方側（第１の平坦部１０２ａ側）に退避させ、大型カード当接部２０６に突き当たりスライダ２０１を挿入方向の奥側に動かす。また、挿入された大型カード３０１は、可動ストッパ２５１の傾斜部２５２に接触して小型カード当接部２５３を下方側に退避させ、後壁部１０３ａに突き当たる。その後、スライダ２０１は、イジェクト機構１２１を構成するスプリング１２３の弾性復元力によって大型カード３０１を挿入方向の手前側に若干押し戻される。
【００６４】
一方、小型カード４０１は、挿入口１０５から挿入されると、スライダ２０１の小型カード当接部２１０と可動ストッパ２５１の小型カード当接部２５３とのいずれにも接触する。その後、スライダ２０１は、スプリング１２３の弾性復元力によって小型カード４０１を挿入方向の手前側に若干押し戻される。
【００６５】
ここで、スライダ２０１において小型カード当接部２１０は大型カード当接部２０６よりも挿入方向の手前側に位置するから、大型カード３０１と小型カード４０１との長さの違いによる大型カード３０１のカードコネクタ１０１からの突出量と小型カード４０１のカードコネクタ１０１からの突出量の違いを抑え、幅狭で挿入方向に短い小型カード４０１（第１のカード）と幅広で挿入方向に長い大型カード３０１（第２のカード）とを装着できるカードコネクタ１０１でのカード媒体の突出量を同じにすることができる。
【００６６】
そして、可動ストッパ２５１の小型カード当接部２５３は後壁部１０３ａ（手前側ストッパ部Ｔ２）よりも挿入方向の手前側に位置するから、大型カード３０１と小型カード４０１との大きさ（長さ、幅）が違っても、収納空間１０６内でのカード媒体のガタつきを抑えることができる。
【００６７】
大型カード３０１と小型カード４０１との幅の違いにより、大型カード３０１が挿入されたときのみ小型カード当接部２１０，２５３が下方側（第１の平坦部１０２ａ側）に動く。そして、大型カード３０１が排出されたときに、傾斜部２１１，２５２の復元力により小型カード当接部２１０，２５３が上方側（第２の平坦部１０２ｂ側）に戻る。このように、小型カード当接部２１０，２５３は、カードコネクタ１０１の厚さ方向に変位する。このため、図２（ｃ）に基づいて前述したように、第２の移動軌跡３０１Ａ（大型カード３０１の移動軌跡）と第１の移動軌跡４０１Ａ（小型カード４０１の移動軌跡）とは、カードコネクタ１０１の厚さ方向に重複させて、カードコネクタ１０１の低背化や小型化に貢献することができる。
【符号の説明】
【００６８】
１０１    カードコネクタ
１０２    ハウジング
１０２ａ  第１の平坦部（第１の対向部）
１０２ｂ  第２の平坦部（第２の対向部）
１０３ａ  後壁部（奥側ストッパ部）
１０６    収納空間
１０９    規制部
２０１    スライダ
２０４    スライダ基部（第１の部材）
２０５    セミロック部材（第２の部材）
２０６    大型カード当接部（奥側ストッパ部）
２１０    小型カード当接部（手前側ストッパ部）
２１１    傾斜部
２５１    可動ストッパ
２５２    傾斜部
２５３    小型カード当接部（手前側ストッパ部）
３０１    大型カード（第２のカード媒体）
３０１Ａ  第２の移動軌跡
４０１    小型カード（第１のカード媒体）
４０１Ａ  第１の移動軌跡
Ｔ１      奥側ストッパ部
Ｔ２      手前側ストッパ部
【図１】
2012043715.tif 000003
【図２】
2012043715.tif 000004
【図３】
2012043715.tif 000005
【図４】
2012043715.tif 000006
【図５】
2012043715.tif 000007
【図６】
2012043715.tif 000008
【図７】
2012043715.tif 000009
【図８】
2012043715.tif 000010
【図９】
2012043715.tif 000011
【図１０】
2012043715.tif 000012
【図１１】
2012043715.tif 000013
【図１２】
2012043715.tif 000014
【図１３】
2012043715.tif 000015
【図１４】
2012043715.tif 000016
【図１５】
2012043715.tif 000017